【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】  ライターであって、燃料供給源を備えたハウジングと、ハウジングと連係していて、燃料に選択的に点火する作動部材と、第１の位置と第２の位置との間でユーザにより動作可能な付勢部材とを有し、前記ユーザは、付勢部材がその第１の位置に位置決めされているとき、燃料に点火するためには第１の作動力を作動部材に加え、付勢部材がその第２の位置に位置決めされているとき、燃料に点火するためには第２の作動力を作動部材に加えるようになっており、第１の作動力は、第２の作動力よりも大きいことを特徴とするライター。
【請求項２】  第１の作動力は、第２の作動力よりも実質的に大きいことを特徴とする請求項１記載のライター。
【請求項３】  第２の作動力は、約５ｋｇ以下であって約１ｋｇ以上であることを特徴とする請求項１記載のライター。
【請求項４】  作動部材は、ハウジングに可動的に結合されたトリガであることを特徴とする請求項１記載のライター。
【請求項５】  作動部材は、作動組立体の一部であることを特徴とする請求項１記載のライター。
【請求項６】  作動組立体は、トリガを有し、作動部材は、連接棒であることを特徴とする請求項５記載のライター。
【請求項７】  ライターの作動は、２つの互いに異なる動作で達成できることを特徴とする請求項１記載のライター。
【請求項８】  燃料に点火する点火器組立体を更に有していることを特徴とする請求項１記載のライター。
【請求項９】  点火器組立体は、圧電ユニットから成ることを特徴とする請求項８記載のライター。
【請求項１０】  作動部材は、燃料を選択的に小出しし、点火器組立体を作動させることを特徴とする請求項８記載のライター。
【請求項１１】  ハウジングに結合されると共に付勢部材と作用的に連係したラッチ部材を更に有していることを特徴とする請求項１記載のライター。
【請求項１２】  ラッチ部材は、第１の端部及び第２の端部を更に有し、第２の端部は、付勢部材が第１の位置にある初期位置から、付勢部材が第２の位置にある最終位置に動くことができることを特徴とする請求項１１記載のライター。
【請求項１３】  付勢部材は、第２の位置にあるとき、作動部材と接触状態にあることを特徴とする請求項１記載のライター。
【請求項１４】  付勢部材は、第２の位置にあるとき、作動部材と作用的に連係していることを特徴とする請求項１記載のライター。
【請求項１５】  付勢部材は、第２の位置にあるとき、作動部材から離脱していることを特徴とする請求項１記載のライター。
【請求項１６】  付勢部材は、コイルばね、板ばね、トーションばね、実質的にＶ字形のばね及び金属ばねから成る群から選択されていることを特徴とする請求項１記載のライター。
【請求項１７】  付勢部材は、第１の脚部及び第２の脚部から延びる第２の脚部を有するＶ字形のばねであり、第２の脚部は、ハウジングに固定的に結合されており、付勢部材の第１の位置では、ばねの第１の脚部は、作動部材に接触していることを特徴とする請求項１記載のライター。
【請求項１８】  付勢部材が第１の位置にあり、ライターを作動させると、第１の脚部は第２の脚部に対して動くことを特徴とする請求項１７記載のライター。
【請求項１９】  ライターの多数回にわたる作動後であっても、第１の作動力は、実質的に一定のままであることを特徴とする請求項１記載のライター。
【請求項２０】  ライターは、付勢部材がその第１の位置に配置されているとき、約１０ｋｇ以下の力が作動部材に加えられると、動作するよう構成されていることを特徴とする請求項１記載のライター。
【請求項２１】  ライターは、付勢部材がその第１の位置に配置されているとき、約５ｋｇ〜約１０ｋｇの力が作動部材に加えられると、動作するよう構成されていることを特徴とする請求項２０記載のライター。
【請求項２２】  ライターは、付勢部材がその第２の位置に配置されているとき、約５ｋｇ以下の力が作動部材に加えられると、動作するよう構成されていることを特徴とする請求項１記載のライター。
【請求項２３】  ライターは、付勢部材がその第１の位置に配置されているとき、ユーザの１つの指で動作するよう構成されていることを特徴とする請求項１記載のライター。
【請求項２４】  ライターは、付勢部材がその第１の位置に配置されているとき、ユーザの第１及び第２の指で動作するよう構成されていることを特徴とする請求項２１記載のライター。
【請求項２５】  作動部材は、動くのが阻止されていないことを特徴とする請求項１記載のライター。
【請求項２６】  ライターは、作動部材がその第１の位置に配置されているとき、ユーザが力を作動部材に加えるだけで動作するよう構成されていることを特徴とする請求項１記載のライター。
【請求項２７】  ライターは、付勢部材がその第２の位置に配置されているとき、ラッチ部材及び作動部材を動かすことにより動作するよう構成されていることを特徴とする請求項１１記載のライター。
【請求項２８】  ラッチ部材は、弾性曲げによって動くことを特徴とする請求項２７記載のライター。
【請求項２９】  ライターは、付勢部材がその第２の位置に配置されているとき、作動部材を動かす前にラッチ部材を動かすことにより動作するよう構成されていることを特徴とする請求項２７記載のライター。
【請求項３０】  ライターは、付勢部材がその第１の位置にあるとき、ユーザの身体的特質に依存し、付勢部材が第２の位置にあるとき、ユーザの認識能力及び器用さに一層依存することにより動作するよう構成されていることを特徴とする請求項１記載のライター。
【請求項３１】  付勢部材は、付勢部材が第１の位置にある状態でライターを作動させると、弾性的に変化する初期長さを有していることを特徴とする請求項１記載のライター。
【請求項３２】  ライターは実用ライターであることを特徴とする請求項１記載のライター。
【請求項３３】  作動部材は、傾斜表面を有し、付勢部材は、第２の位置にあるとき、傾斜表面と接触状態にあることを特徴とする請求項１記載のライター。
【請求項３４】  ライターであって、
燃料供給源を備えたハウジングと、
燃料を選択的に放出する作動部材と、
放出された燃料に点火する点火器組立体と、
第１のラッチ位置と第２のラッチ位置との間で動くことができるようハウジングに結合されたラッチ部材と、
ラッチ部材と作用的に連係した付勢部材とを有し、付勢部材の少なくとも一部は、ラッチ部材によって、作動部材の運動に抵抗するその第１の位置から、第１の付勢部材の位置の場合と同程度には作動部材の運動に抵抗しない第１の位置とは異なるその第２の位置に再位置決めされ、
作動部材は、付勢部材がその第１の位置にあるとき及び付勢部材がその第２の位置にあるとき、放出された燃料に点火するよう動くことができることを特徴とするライター。
【請求項３５】  ライターであって、
燃料供給源を備えたハウジングと、
放出された燃料に点火する点火器組立体と、
少なくとも１つのトリガを有していて燃料を放出するよう弁を動かす作動組立体と、
付勢部材とを有し、付勢部材の少なくとも一部は、付勢部材の係合部分が作動組立体の係合部分と連係し、トリガの運動に抵抗する力をもたらす第１の休み状態と、付勢部材がトリガの運動にそれほど抵抗しない第２の状態との間でユーザにより動作可能であり、ライターは、付勢部材が第１の状態にあるとき、約１０ｋｇ以下の力がトリガに加えられると、点火器組立体が作動されるように構成されていることを特徴とするライター。
【請求項３６】  第１の位置と第２の位置との間で動くことができる弁を有していて燃料を小出しする弁組立体を更に有し、約１０ｋｇ以下の力をトリガに加えると、弁は、第１の位置から第２の位置に動くことを特徴とする請求項３５記載のライター。
【請求項３７】  第２の状態では、付勢部材は、作動組立体の運動の一部について、作動組立体の運動にそれほど抵抗しないことを特徴とする請求項３５記載のライター。
【請求項３８】  作動組立体の係合部分は、トリガに設けられていることを特徴とする請求項３５記載のライター。
【請求項３９】  作動組立体は、点火器組立体と作用的に連係した連接棒と、ハウジングに連結されていて、トリガと連接棒との間に設けられた回動部材とを更に有し、連接棒は、作動組立体の係合部分を有していることを特徴とする請求項３５記載のライター。
【請求項４０】  ハウジングに結合されたラッチ部材を更に有し、付勢部材は、ラッチ部材と作用的に連係していることを特徴とする請求項３５記載のライター。
【請求項４１】  付勢部材の第２の位置では、第１のトリガ力よりも小さな第２のトリガ力が、作動組立体に加えられると、弁は、その第１の位置からその第２の位置に動くことを特徴とする請求項３５記載のライター。
【請求項４２】  ライターであって、
燃料供給源を備えたハウジングと、
燃料を選択的に小出しするよう移動可能な作動部材と、
放出された燃料に点火する点火器組立体と、
ハウジング内に設けられていて、作動部材に第１の場所で係合する第１の付勢位置から、作動部材に第２の場所で係合する第２の付勢位置に動くことができる付勢部材とを有し、付勢部材は、初期長さを有し、付勢部材は、付勢部材が作動部材に係合した状態で作動部材を動かすと、付勢部材の長さが、第１の長さとこれとは異なる第２の長さとの間で変わるよう構成され、
作動部材は、付勢部材がその第１の位置にあるとき及び付勢部材がその第２の位置にあるとき、燃料を小出しするよう動くことができることを特徴とするライター。
【請求項４３】  付勢部材の第２の位置では、付勢部材は、作動部材の運動に抵抗しないことを特徴とする請求項４２記載のライター。
【請求項４４】  第１の長さは、第２の長さよりも短いことを特徴とする請求項４２記載のライター。
【請求項４５】  付勢部材の第２の位置では、付勢部材は、作動部材に傾斜表面のところで接触することを特徴とする請求項４２記載のライター。
【請求項４６】  ライターであって、
燃料供給源を備えたハウジングと、
放出された燃料に点火する点火器組立体と、
ハウジングと連係した作動部材とを有し、作動部材を作動位置に動かしてライターを作動させるには所定の作動力が必要であり、
ハウジングと関連した付勢部材を更に有し、付勢部材はユーザにより、作動部材を作動位置に動かすのに前記所定の作動力よりも大きな第１の作動力が必要であるように付勢部材が作動部材と連係した第１の位置に再位置決め可能であり、
作動部材は、ライターを付勢部材の位置とは無関係に作動させるよう動くことができることを特徴とするライター。
【請求項４７】  付勢部材は、ユーザが第２の作動力を及ぼして作動部材を作動位置に動かすよう第２の位置に動くことができ、第２の作動力は、第１の作動力よりも小さいことを特徴とする請求項４６記載のライター。
【請求項４８】  第２の作動力は、前記所定の作動力と実質的に同一であることを特徴とする請求項４７記載のライター。
【請求項４９】  作動部材は、トリガであることを特徴とする請求項４６記載のライター。
【請求項５０】  作動部材は、作動組立体の一部であることを特徴とする請求項４６記載のライター。
【請求項５１】  作動組立体は、トリガを有し、作動組立体は連接棒であることを特徴とする請求項５０記載のライター。
【請求項５２】  トリガは、大きな力のモード及び小さな力のモードで選択的に動作可能であることを特徴とする請求項３５記載のライター。